(57)【要約】【課題】光源が発した光ビームの光パワーを調整するための光ビーム透過調整手段で生じる光軸のずれを簡易な機構で小さく抑える。【解決手段】直交する第１の透過素子と第２の透過素子を保持し永久磁石を装着した保持体と、回転軸を保持し第１，第２の切替位置に保持体を切替あるいは保持する鉄心とコイルを装着した基台を備えている。光ビームが第１の透過素子を通過する第１の切替位置は保持体の小突起が基台の規制面に当接する姿勢で永久磁石と鉄心が吸着保持され、光ビームが第２の透過素子を通過する第２の切替位置は保持体の小突起が基台の規制面に当接する姿勢で永久磁石と鉄心が吸着保持されて位置決めされる。コイルにパルスを印加することにより第１，第２の切替位置に切り替えられる。【選択図】図３
2007200462.tif 000002
【特許請求の範囲】
【請求項１】
光ビームを発する光源と、前記光ビームの透過量を調整する光ビーム透過調整手段と、前記光ビーム光ビーム透過調整手段を透過した前記光ビームを情報記録媒体に集光する集光手段とを有する光ピックアップにおいて、
前記光ビーム透過調整手段は、
第１の透過率を有する第１透過素子と、
前記第１の透過率よりも高い第２の透過率を有する第２透過素子と、
前記第１透過素子および前記第２透過素子に平行な回転軸回りに回転駆動する前記光ビームが前記第１透過素子を透過する第１位置と前記第２透過素子を透過する第２位置とを切り替える回転駆動切替機構と
を有し、
前記回転駆動切替機構を、永久磁石の吸着力で第１位置と前記第２位置の切り替え位置に選択的に付勢されるよう構成し、第１光パワーを有する光ビームと第２光パワーを有する光ビームを選択的に出力するよう構成した
光ピックアップ。
【請求項２】
前記回転駆動切替機構は、
前記第１透過素子および前記第２透過素子を保持し前記第１透過素子および前記第２透過素子に平行な孔を設けた保持体と、
前記保持体にそれぞれ装着される前記第１位置を保つための吸着力を発生する第１永久磁石および前記第２位置の保つための吸着力を発生する第２永久磁石と、
前記保持体の前記孔に挿通される保持軸に係合し、前記保持体が前記保持軸の回りに回転可能な状態で前記軸体の軸心が前記光ビームの中心線上にあるよう前記保持体を前記第１位置または第２位置に位置規制する基台と、
前記基台にそれぞれ装着される前記第１永久磁石を吸着するための第１鉄心と前記第１鉄心と同心にあって前記第１永久磁石に反発力を与える第１コイルと前記第２永久磁石を吸着するための第２鉄心と前記第２鉄心と同心にあって前記第２永久磁石に反発力を与える第２コイルと
で構成した請求項１記載の光ピックアップ。
【請求項３】
前記保持体には、
互いに直交する前記第１透過素子を装着する第１透過素子装着面と、
前記第２透過素子を装着する第２透過素子装着面と、
前記第１透過素子装着面と平行で前記第１位置を保持するため前記基台と当接する第１基準面と、
前記第２透過素子装着面と平行で前記第２位置を保持するため前記基台と当接する第２基準面と
を形成し、前記基台には、
前記保持体の前記第１基準面および前記第２基準面が当接する基準平面を形成した
請求項２記載の光ピックアップ。
【請求項４】
前記第１永久磁石は、磁化方向が前記第１基準面と直交しかつ前記第１透過素子の中心からオフセットした位置になるよう前記保持体に装着され、
前記第２永久磁石は、磁化方向が前記第２基準面と直交しかつ前記第２透過素子の中心からオフセットした位置になるよう前記保持体に装着され、
前記第１コイルは、軸心が前記基準面と直交し前記第１位置で前記第１永久磁石と相対する位置になるよう前記基台に装着され、
前記第２コイルは、軸心が前記基準面と直交し前記第２位置で前記第２永久磁石と相対する位置になるよう前記基台に装着された
請求項２記載の光ピックアップ。
【請求項５】
前記保持体の前記第１基準面および前記第２基準面は、それぞれ３点の小突起によって平面が決定され、前記小突起のそれぞれの先端形状が球面であることを特徴とする
請求項３記載の光ピックアップ。
【請求項６】
前記光源は、緑色から紫外線の波長領域において発光する半導体レーザである
請求項１から請求項５のいずれか１項に記載の光ピックアップ。
【請求項７】
前記光源は、青色の波長領域において発光する半導体レーザである
請求項１から請求項５のいずれか１項に記載の光ピックアップ。
【請求項８】
情報記録媒体からの反射光を検出する光検出器をさらに有する請求項１に記載の光ピックアップと、
前記光検出器で検出された前記反射光に基づいて再生信号およびサーボ信号の少なくとも一方を生成する信号処理回路とを
備えた情報処理装置。
【請求項９】
記録層の数が異なる複数種類の情報記録媒体を装填することが可能であり、装填された情報記録媒体に対して前記記録層の数に応じた光パワーの大きさを有する光ビームを放射して、データを読み出しおよび／または書き込む情報処理装置であって、
記録層の数が１層の情報記録媒体が装填されたときは、前記回転駆動切替機構によって前記第１位置に切り替えて前記記録層に対して前記第１光パワーを有する光ビームを放射し、記録層の数が複数の情報記録媒体が装填されたときは、前記回転駆動切替機構によって前記第２位置に切り替えて前記記録層の１つに対して前記第２光パワーを有する光ビームを放射する
請求項８に記載の情報処理装置。
【発明の詳細な説明】
【技術分野】
【０００１】
本発明は、光ピックアップおよび情報処理装置に関する。
【背景技術】
【０００２】
ＤＶＤ(digital versatile disc)は、デジタルデータをＣＤ（Compact Disc Interactive）の約６倍の記録密度で記録することが可能であり、映画や音楽などの大容量のデジタルデータを書き込むことができる情報記録媒体（光ディスク）として知られている。近年は、記録対象となる情報の情報量が増大しているため、さらに容量の大きい情報記録媒体が求められている。
【０００３】
光ディスクの情報記録媒体の容量を大きくするためには、情報の記録密度を高くする必要がある。これは一般に、データの書き込み時および読み出し時に光ディスクに放射されるレーザ光のスポット径を小さくすることによって実現される。そして、光のスポット径を小さくするためには、レーザ光の波長をより短くし、かつ、対物レンズの開口数（ＮＡ）を大きくすればよい。さらに、例えば波長４０５ｎｍの青色レーザ光と、ＮＡ０．８５の対物レンズを使用することによって、現在のＤＶＤのさらに５倍の記録密度で情報を記録することができる。
【０００４】
青色レーザ等を用いてレーザ光の短波長化することに加え、さらに記録密度を高めるため、１枚の光ディスクに複数の記録層を設ける技術の開発も進んでいる。例えば、２層の記録層を有する光ディスクを得ることが可能になれば、上述のレーザ光の短波長化およびＮＡの大きな対物レンズの使用と併せて、記録密度は１層の記録層を有するＤＶＤの約１０倍になる。
【０００５】
しかしながら、青色レーザを光源とする光ディスク装置では、青色レーザにおける再生用の光パワーのマージンは極めて小さいため、光源の量子ノイズが問題となる。
そこで特許文献１の光ディスク装置では、レーザ光の経路に対して概ね垂直に出し入れ可能に光ビーム透過調整手段（強度フィルタ）を設けた光ピックアップが開示されている。
【０００６】
この光ディスク装置は、再生時には強度フィルタをレーザ光の経路に挿入し、記録時には強度フィルタを出射光の経路から外すように移動させる。これにより、例えば半導体レーザの量子ノイズを低く保つことができ、良質の再生が可能となっている。
【０００７】
しかし、この光ディスク装置はレーザ光の経路に対して垂直かつ直線的に出し入れ可能に強度フィルタを設けているため、強度フィルタが移動するための空間が必要になる、その結果、光ピックアップ装置が大型化してしまうという問題がある。
【０００８】
このような問題を解決するために、光軸上に直線的に移動する強度フィルタに代えて回転によって光軸上に移動する強度フィルタを設けた次のような光ピックアップ装置が考えられる。以下、図５から図７（ａ），図７（ｂ）を参照しながら、この光ピックアップを説明する。
【０００９】
図５は、従来の光ピックアップ装置の構成を示す。ＧａＮ系の青色発光する半導体レーザ光源３０が青色の光ビームを放射すると、光ビームは光ビーム透過調整手段３１に入射する。光ビーム透過調整手段３１は、光ディスク３２からのデータの読み出し時か、光ディスク３２へのデータの書き込み時かに応じて所定の位置に回動され、強度フィルタの位置が調整されている。光ビーム透過調整手段３１を透過した光ビームは、ビームスプリッタ３３で反射され、コリメートレンズ３４で平行光にされ、ミラー３５で反射され、対物レンズ３６を透過して、光ディスク３２上に集光される。
【００１０】
データの読み出し時には、集光された光ビームは光ディスク３２の記録層で反射され、逆の経路でビームスプリッタ３３に至り、ビームスプリッタ３３を透過して、マルチレンズ３７を経てフォトダイオード３８に入射する。フォトダイオード３８は、いわゆる光検出器であり、入射した光の位置および強度に基づいて電気信号を出力する。その電気信号に基づいて、データが再現される。
【００１１】
一方、データの書き込み時には、集光された光ビームによって情報層上に光スポットが形成される。その結果、光スポットが形成された部分の記録層の状態（例えば結晶状態）が書き込み対象のデータに応じて変化する。これにより光ディスク３２には、記録層の状態の変化としてデータが書き込まれる。
【００１２】
図６（ａ）は、光ビームが光ビーム透過調整手段３１の光学フィルタを透過するときの斜視図であり、データ読み出し時の配置に対応する。また図６（ｂ）は、光ビームが光ビーム透過調整手段３１の光学フィルタを透過しないときの斜視図であり、データ書き込み時の配置に対応する。光ビーム透過調整手段３１は第１の透過素子１と第２の透過素子を有している。第１の透過素子２には透過率が５０％の光学フィルタ２ａが塗布されており、透過する光ビームの光パワーを減衰させる。一方、第１の透過素子１には光学フィルタは塗布されておらず、光ビームの光パワーを概ね維持した状態で光ビーム３９を透過させる。また光ビーム透過調整手段３１は、第１の透過素子１と第２の透過素子２を支持する支持手段４０と、第１の透過素子１と第２の透過素子２を回転軸１２の回りに回転駆動する回転駆動手段４１を含んでいる。回転軸１２は第１の透過素子１と第２の透過素子２に平行である。光ビーム透過調整手段３１は、回転駆動手段４１を利用して回転軸１２の回りの回転駆動を行うことにより、光ビーム３９が第１の透過素子１を透過するか（図６（ｂ））、第２の透過素子２を透過するか（図６（ａ））を切り替えることができる。すなわち、光ビーム３９が光学フィルタ２ａを透過するか、しないかを切り替えることができる。光ビーム３９が光学フィルタ２ａを透過する場合の光パワーは透過しない場合の光パワーの５０％となる。
【特許文献１】特開２０００−１９５０８６公報
【発明の開示】
【発明が解決しようとする課題】
【００１３】
しかしながら、光ビーム透過調整手段３１の支持手段４０を回転させて第１，第２の透過素子１，２を切り替える構成にすれば、小型化の実現を可能とする一方で、光ビーム透過調整手段３１の部品精度、組立精度を向上し、搭載時および動作時の角度ずれを小さくしなければならないという他の問題が発生する。
【００１４】
図７（ａ），図７（ｂ）により具体的に説明する。図７（ａ）は第２の透過素子２への光ビームの入射角ずれがないときの状態を示す。第１，第２の透過素子１，２はそれぞれ厚みｔを持っている。一方、図７（ｂ）は第２の透過素子２への光ビームの入射角ずれが存在するときの光軸のずれの状態を示す。
【００１５】
図７（ｂ）に示すように、第２の透過素子２の面が光軸と垂直でないとき（入射角ずれが起きたとき）は、第２の透過素子１の入射面２ａにおいて光が屈折するため透過素子２に対する光ビームの入射時の光軸と出射時の光軸とがずれてしまう。図７（ａ），図７（ｂ）によれば光ビームの透過距離は厚みｔに等しい。よって光ビームの入射角ずれｈが起きると、透過距離は厚みｔに比例して長くなるため光軸ずれｄが生じる。当然、以上は第１の透過素子１に関しても同様である。
【００１６】
光軸ずれｄが生じると、光ディスク３２で反射されフォトダイオード３８に入射したときのフォトダイオード３８上での戻りスポットの位置がずれる。第１の透過素子１に光軸ずれｄがあっても、そのときの戻りスポットの位置に合わせてフォトダイオード３８を調整組み立てすればよいが、第２の透過素子２に切り替えたときの第２の透過素子２の光軸ずれがｄＡとすると光軸ずれの差（ｄＡ−ｄ）によってフォトダイオード３８の上の戻りスポット位置がずれる。
【００１７】
したがって、実際により問題となるのは第１の透過素子１と第２の透過素子２の光軸ずれの差（ｄＡ−ｄ）である。また、厚みｔが小さければ光軸ずれｄ，ｄＡは小さくなるが厚みｔを小さくするには透過素子の取扱いや組立作業上限界がある。一例として厚みｔが０．３ｍｍの場合、許容できる光軸ずれの差は第１の透過素子１の入射角ずれをｈ、第２の透過素子２の入射角ずれをｈＡとすると（ｈＡ−ｈ）＜１°であり、信頼性を考慮すると組立の初期では（ｈＡ−ｈ）＜０．５°の精度が必要となる。この角度精度を実現するためには、回転駆動手段４１の部品精度や支持手段４０に対する第１，第２の透過素子１，２の組立精度に厳しいものが要求され量産性を考慮した安価な装置を提供することが困難である。
【００１８】
そこで本発明は、簡単な構成で厳しい部品精度、組立精度を必要とせず切り替え角度精度を向上させることができる光ピックアップを供給することを目的とする。
【課題を解決するための手段】
【００１９】
本発明の請求項１記載の光ピックアップは、光ビームを発する光源と、前記光ビームの透過量を調整する光ビーム透過調整手段と、前記光ビーム光ビーム透過調整手段を透過した前記光ビームを情報記録媒体に集光する集光手段とを有する光ピックアップにおいて、前記光ビーム透過調整手段は、第１の透過率を有する第１透過素子と、前記第１の透過率よりも高い第２の透過率を有する第２透過素子と、前記第１透過素子および前記第２透過素子に平行な回転軸回りに回転駆動する前記光ビームが前記第１透過素子を透過する第１位置と前記第２透過素子を透過する第２位置とを切り替える回転駆動切替機構とを有し、前記回転駆動切替機構を、永久磁石の吸着力で第１位置と前記第２位置の切り替え位置に選択的に付勢されるよう構成し、第１光パワーを有する光ビームと第２光パワーを有する光ビームを選択的に出力するよう構成したことを特徴とする。
【００２０】
本発明の請求項２記載の光ピックアップは、請求項１において、前記回転駆動切替機構は、前記第１透過素子および前記第２透過素子を保持し前記第１透過素子および前記第２透過素子に平行な孔を設けた保持体と、前記保持体にそれぞれ装着される前記第１位置を保つための吸着力を発生する第１永久磁石および前記第２位置の保つための吸着力を発生する第２永久磁石と、前記保持体の前記孔に挿通される保持軸に係合し、前記保持体が前記保持軸の回りに回転可能な状態で前記軸体の軸心が前記光ビームの中心線上にあるよう前記保持体を前記第１位置または第２位置に位置規制する基台と、前記基台にそれぞれ装着される前記第１永久磁石を吸着するための第１鉄心と前記第１鉄心と同心にあって前記第１永久磁石に反発力を与える第１コイルと前記第２永久磁石を吸着するための第２鉄心と前記第２鉄心と同心にあって前記第２永久磁石に反発力を与える第２コイルとで構成したことを特徴とする。
【００２１】
本発明の請求項３記載の光ピックアップは、請求項２において、前記保持体には、互いに直交する前記第１透過素子を装着する第１透過素子装着面と、前記第２透過素子を装着する第２透過素子装着面と、前記第１透過素子装着面と平行で前記第１位置を保持するため前記基台と当接する第１基準面と、前記第２透過素子装着面と平行で前記第２位置を保持するため前記基台と当接する第２基準面とを形成し、前記基台には、前記保持体の前記第１基準面および前記第２基準面が当接する基準平面を形成したことを特徴とする。
【００２２】
本発明の請求項４記載の光ピックアップは、請求項２において、前記第１永久磁石は、磁化方向が前記第１基準面と直交しかつ前記第１透過素子の中心からオフセットした位置になるよう前記保持体に装着され、前記第２永久磁石は、磁化方向が前記第２基準面と直交しかつ前記第２透過素子の中心からオフセットした位置になるよう前記保持体に装着され、前記第１コイルは、軸心が前記基準面と直交し前記第１位置で前記第１永久磁石と相対する位置になるよう前記基台に装着され、前記第２コイルは、軸心が前記基準面と直交し前記第２位置で前記第２永久磁石と相対する位置になるよう前記基台に装着されたことを特徴とする。
【００２３】
本発明の請求項５記載の光ピックアップは、請求項３において、前記保持体の前記第１基準面および前記第２基準面は、それぞれ３点の小突起によって平面が決定され、前記小突起のそれぞれの先端形状が球面であることを特徴とする。
【００２４】
本発明の請求項６記載の光ピックアップは、請求項１から請求項５のいずれかにおいて、前記光源は、緑色から紫外線の波長領域において発光する半導体レーザであることを特徴とする。
【００２５】
本発明の請求項７記載の光ピックアップは、請求項１から請求項５のいずれかにおいて、前記光源は、青色の波長領域において発光する半導体レーザであることを特徴とする。
本発明の請求項８記載の情報処理装置は、情報記録媒体からの反射光を検出する光検出器をさらに有する請求項１に記載の光ピックアップと、前記光検出器で検出された前記反射光に基づいて再生信号およびサーボ信号の少なくとも一方を生成する信号処理回路とを
備えたことを特徴とする。
【００２６】
本発明の請求項９記載の情報処理装置は、請求項８において、記録層の数が異なる複数種類の情報記録媒体を装填することが可能であり、装填された情報記録媒体に対して前記記録層の数に応じた光パワーの大きさを有する光ビームを放射して、データを読み出しおよび／または書き込む情報処理装置であって、記録層の数が１層の情報記録媒体が装填されたときは、前記回転駆動切替機構によって前記第１位置に切り替えて前記記録層に対して前記第１光パワーを有する光ビームを放射し、記録層の数が複数の情報記録媒体が装填されたときは、前記回転駆動切替機構によって前記第２位置に切り替えて前記記録層の１つに対して前記第２光パワーを有する光ビームを放射することを特徴とする。
【発明の効果】
【００２７】
本発明によれば、透過率の異なる２個の透過素子を回転駆動させて光ビームの光パワーを切り替える光ビーム透過調整手段を、永久磁石の吸着力で第１位置と前記第２位置の切り替え位置に選択的に付勢されるよう構成したので、簡単な構成で厳しい部品精度、組立精度を必要とせず切り替え角度精度を向上させることができ、かつ消費電力も小さく信頼性も高いため、製造コストの低い信頼性の高い光ピックアップを供給することが実現できる。
【発明を実施するための最良の形態】
【００２８】
以下、本発明の実施の形態を図１〜図４に基づいて説明する。
図１は本発明による光ピックアップに搭載されている光ビーム透過調整手段である回転駆動切替機構２６の斜視図を示す。図２は回転駆動切替機構２６の組立分解図を示す。図３（ａ）は回転駆動切替機構２６が光ビームが第１の透過素子１を透過している第１の切替位置を示す側面図を示す。図３（ｂ）は光ビームが第２の透過素子２を透過している第２の切替位置を示す側面図である。この図１〜図３（ａ）、図３（ｂ）により回転駆動切替機構２６の構成を説明する。
【００２９】
回転駆動切替機構２６は、基台３と、第１，第２のコイル４，５と、第１，第２の鉄心６，７と、保持体８と、第１，第２の永久磁石９，１０と、第１，第２の透過素子１，２と、カバー１１とにより構成される。
【００３０】
基台３は、第１，第２の鉄心６，７および第１，第２のコイル４，５を装着するためのコイル保持部１４と、回転駆動する保持体８を支持するカバー１１の後述する軸１２を保持する穴１３を形成した保持体回動面１５と、コイル保持部１４の保持体回動面１５の側に形成される保持体規制面１６とにより構成されている。
【００３１】
保持体規制面１６は、第１，第２のコイル４，５の軸心および保持体回動面１５とそれぞれ直交する方向に形成されている。基台３の材質は本発明の構成であれば特に精度、強度を求められないので樹脂材料が使用できる。
【００３２】
第１のコイル４と第２のコイル５は直列に接続され、第１の鉄心６は第１のコイル４に、第２の鉄心７は第２のコイル５にそれぞれ挿入され、軸心が光ビームの光軸と平行となる方向の状態で基台３のコイル保持部１４にそれぞれ接着固定される。またこのときコイル長Ｌ１よりも鉄心長Ｌ２が僅かに大きく、第１，第２の鉄心６，７の端面６Ａ，７Ａはそれぞれ保持体規制面１６側の端面１７に密着する状態で固定されている。
【００３３】
保持体８には、互いに直交する第１の面１８と第２の面１９が形成されている。第１の面１８には第１の透過素子１が接着固定される。第２の面１９には第２の透過素子２が接着固定される。保持体８には、先端が球面形状となっている６個の小突起２０ａ，２０ｂ，２０ｃと２１ａ，２１ｂ，２１ｃが形成されている。この３個組の小突起２０ａ，２０ｂ，２０ｃと２１ａ，２１ｂ，２１ｃは互いに略直交する平面２２と平面２３の上に形成されている。図３（ａ），図３（ｂ）に示すように、小突起２０ａ，２０ｂ，２０ｃの先端が形成する第１の基準面２０Ａは第１の面１８と平行に形成されている。小突起２１ａ，２１ｂ，２１ｃの先端が形成する第２の基準面２１Ａは第２の面１９と平行に形成されている。
【００３４】
また保持体８には、図３（ａ），図３（ｂ）に破線で示すように、第１の永久磁石９と第２の永久磁石１０が設けられている。第１の永久磁石９は磁化方向が第１の基準面２０Ａに直交する方向に取り付けられている。第２の永久磁石１０は磁化方向が第２の基準面２１Ａに直交する方向に取り付けられている。第１の永久磁石９はその端面ａが、第１の基準面２０Ａに近接して配設されている。第２の永久磁石１０はその端面ｂが、第２の基準面２１Ａに近接して配設されている。
【００３５】
さらに、第１，第２の永久磁石９，１０の極性が、第１の永久磁石９の端面ａと第２の永久磁石１０の端面ｂが逆極性となるよう接着固定されている。つまり、図３（ａ）示すように、仮に第１の永久磁石９の端面ａをＮ極とすると、第２の永久磁石１０の端面ｂはＳ極に配置される。
【００３６】
図２に破線で示すように、保持体８の中央部には、第１，第２の面１８，１９とに平行となる方向に孔２４が前記穴１３に対応して形成されている。
図３（ａ）（ｂ）に示すように、孔２４のセンターから第１の基準面２０Ａとの距離Ｌ３と第１の基準面２１Ａとの距離Ｌ４は等しく、かつ基台３の保持体規制面１６と孔２４との距離Ｌ５とも等しくなるよう形成されている。
【００３７】
また、孔２４の直径は、後述するカバー１１の軸１２の軸径より１０％程度大きく設定されている。保持体８の材質としては樹脂材料を使用することができる。
カバー１１には、軸１１ａと保持体８の孔２４に挿入されて保持体８を回動自在に保持するための保持軸１２が形成されており、保持軸１２の先端部１２ａは基台３の穴１３に嵌合し、カバー１１の軸１１ａの先端は基台３の穴２５に嵌合して、カバー１１が基台３に固定されている。このように連結された基台３とカバー１１は、基台３の２個所の凹部３ａ，３ｂに供給した接着剤の一部が、カバー１１に形成された接着剤溜まり用の２個所の溝１１ｂに流れ出して硬化して接着固定されている。
【００３８】
組み立てられた状態で保持体８は、保持軸１２の方向に０．１ｍｍ程度のすきまを持つよう設定され、また保持体８は前述の通り保持軸１２の直径は保持体８の孔２４の直径に比べ１０％程度小さく形成されている、一例として保持軸径がφ１．０ｍｍであれば保持体８の孔２４の直径はφ１．１ｍｍである。このようなガタの大きい係合状態に設定することにより保持体８が軸１２の回りを回動するとき、ほとんど摺動抵抗を受けることなくスムーズに回動できる。カバー材質も同様に高精度、強度を求められないので樹脂材料とすることができる。
【００３９】
組み立てられた状態で保持体８をいずれかの方向に回転させる。例えば、時計方向に保持体８を回転させると、第１の永久磁石９と第１の鉄心６との間に吸引力が生じ、この結果、小突起２０ａ，２０ｂ，２０ｃが保持体規制面１６に当接するまで回転する。
【００４０】
図３（ａ）は小突起２０ａ，２０ｂ，２０ｃが保持体規制面１６に当接した状態、すなわち第１の透過素子が光ビームと直交する第１の切替位置にある状態を示す。前述の通り基台３の保持体規制面１６から孔２４までの距離と保持体８の第１の基準面２０Ａと孔２４までの距離とは等しく設定してあるため、この第１の切替位置の状態では孔２４と保持軸１２とは同軸にあって互いに接することはなく、小突起２０ａ，２０ｂ，２０ｃはすべて保持体規制面１６と当接している。
【００４１】
したがって、第１の基準面と保持体規制面１６は同一平面であるから第１の基準面と平行である第１の透過素子１は保持体規制面１６と平行になる。
次に、第１の切替位置から第２の切替位置に回転させるメカニズムについて説明する。
【００４２】
図３（ａ）の第１の切替位置にあるとき、第１のコイル４には、第１の永久磁石９の端面ａの極性であるＮ極と反発する方向に磁力を発生させるようなパルス電流を流す。このとき、この電流により生ずる磁力と永久磁石とが反発するが、この反発力が第１の永久磁石９と第１の鉄心６との吸引力を上回るよう電流を設定すると、パルス電流を印加した結果、保持体８は反時計方向の回転力を与えられ回動を始める。パルス電流印加時間は保持体８が回動を始めるには十分にかつ保持体８が第１の切替位置と第２の切替位置との中間位置を超えるまでよりは短く設定する。
【００４３】
その結果、保持体が第１の切替位置と第２の切替位置との中間を超えると今度は第２の永久磁石１０と第２の鉄心７との吸引力が強くなり保持体８の惰性による回転とあいまって小突起２１ａ，２１ｂ，２１ｃが保持体規制面１６に当接する位置まで保持体８は回転を続ける。
【００４４】
図３（ｂ）は第２の永久磁石１０と第２の鉄心７が吸着し小突起２１ａ，２１ｂ，２１ｃが保持体規制面１６に当接している状態、つまり第２の透過素子が光ビームと直交する第２の切替位置を示す。
【００４５】
この状態では前述の図３（ａ）で示す第１の切替位置とまったく同様に第２の基準面２１Ａが保持体規制面１６と同一平面にあるから第２の透過素子２は保持体規制面１６と平行となる。
【００４６】
第２の切替位置から再び第１の切替位置への切替は、第１の切替位置から第２の切替位置に切り替えるときに流したパルス電流と方向だけが逆のパルス電流を第２のコイル５に印加する。保持体規制面１６側のコイル５の端面には先ほどと逆の磁界が発生するが第２の永久磁石１０ａは第１の永久磁石９ａと逆の極性が配置されているため前述の動作と同様にコイル５と第２の永久磁石１０との間に反発力が生じ保持体が回動する。このコイルへの印加電圧とパルス電流の印加時間は一例としてコイル内径（＝鉄心径）がφ１．３ｍｍ、コイル外径がφ２．３ｍｍ、コイル長が３．２ｍｍ、コイル線形がφ０．０８ｍｍの場合、コイル抵抗は７．２Ωであり印加電圧が５Ｖでパルス電流が７００ｍＡで印加時間は４０ｍｓｅｃ程度である。このように短い印加時間で切替動作が完了するためコイルの消費電力が非常に小さく、切替の際のコイルの発熱もほとんどないため、温度上昇によるレーザ寿命の低下への悪影響がない。
【００４７】
次に、第１の切替位置の第１の透過素子１の光ビームに対する角度と、第２の切替位置の第２の透過素子２の光ビームに対する角度の相対的な角度誤差について考察する。
図４（ａ），図４（ｂ）に示す小突起２０ａ，２０ｂ，２０ｃにより形成される第１の仮想平面と第１の透過素子を貼り付ける第１の面との部品精度による角度誤差δ１と、同様に小突起２１ａ，２１ｂ，２１ｃにより形成される第２の基準面と第２の透過素子を貼り付ける第２の面との部品精度による角度誤差δ１と、保持体規制面１６の平面度誤差による角度誤差δ３の以上の３つの角度誤差δ１，δ２，δ３を合計したものが、第１の透過素子１と第２の透過素子２との切り替え相対角度誤差となるが、しかしながらこれらの誤差はいずれも部品精度により決定されるものであり樹脂成型部品であればその金型精度を追い込み修正することによりトータルで角度誤差を±０．２°程度に抑えることが十分可能である。
【００４８】
この実施の形態では、光学フィルタが塗布された透過素子と光学フィルタが塗布されていない透過素子とを切り替えることで光ビームの光パワーを切り替えたが、第１の透過率を有する第１透過素子と、前記第１の透過率よりも高い第２の透過率を有する第２透過素子とは、光透過率の異なる２個の透過素子を切り替えることで光ビームの光パワーを切り替えてもよい。
【００４９】
この実施の形態では、光ビームは青色発光する半導体レーザであるとした。しかし、緑色から紫外線の波長領域において発光する半導体レーザであってもよい。
本実施形態では光ビーム透過調整手段はデータの読み出し時と書き込み時とで光ビームの光パワーを切り替えた。しかし、情報記録媒体が１層の記録層を有する場合と２層の記録層を有する場合とで光ビームの光パワーを切り替えてもよい。
【産業上の利用可能性】
【００５０】
本発明によれば、簡単な構成で厳しい部品精度、組立精度を必要とせず光ビーム透過調整手段が切り替え角度精度を向上させることができ、かつ消費電力も小さく信頼性も高いため、製造コストの低い信頼性の高い光ピックアップ、およびそのような光ピックアップを有する情報処理装置を得ることができる。
【図面の簡単な説明】
【００５１】
【図１】本発明による光ビーム透過調整手段である回転駆動切替機構２６の斜視図
【図２】本発明による光ビーム透過調整手段である回転駆動切替機構２６の組立分解図
【図３】（ａ）は光ビームが第１の透過素子１を透過している第１の切替位置を示す側面図、（ｂ）は光ビームが第２の透過素子２を透過している第２の切替位置を示す側面図
【図４】第１，第２の切替位置の光ビームに対する相対的な角度誤差を説明する図
【図５】従来の光ピックアップ装置の構成図
【図６】（ａ）は光ビームが光ビーム透過調整手段３１の光学フィルタを透過するときの斜視図、（ｂ）は光ビームが光ビーム透過調整手段３１の光学フィルタを透過しないときの斜視図
【図７】（ａ）は第２の透過素子２への光ビームの入射角ずれがないときの状態を示す図、（ｂ）は第２の透過素子２への光ビームの入射角ずれが存在するときの光軸のずれの状態を示す図
【符号の説明】
【００５２】
１，２    第１，第２の透過素子
３    基台
４，５    第１，第２のコイル
６，７    第１，第２の鉄心
８    保持体
９，１０    第１，第２の永久磁石
１１    カバー
１２    軸
１３    穴
１４    コイル保持部
１５    保持体回動面
１６    保持体規制面
１８    第１の面
１９    第２の面
２０ａ，２０ｂ，２０ｃ    小突起
２１ａ，２１ｂ，２１ｃ    小突起
２０Ａ  第１の基準面
２１Ａ  第２の基準面
２６    回転駆動切替機構
３０  半導体レーザ光源
３１  光ビーム透過調整手段
３２  光ディスク
３３  ビームスプリッタ
３４  コリメートレンズ
３５  ミラー
３６  対物レンズ
３７  マルチレンズ
３８  フォトダイオード
【図１】
2007200462.tif 000003
【図２】
2007200462.tif 000004
【図３】
2007200462.tif 000005
【図４】
2007200462.tif 000006
【図５】
2007200462.tif 000007
【図６】
2007200462.tif 000008
【図７】
2007200462.tif 000009